(57)【特許請求の範囲】
【請求項１】
第１及び第２ポート（11、12）が左右に向き、第３ポート（13）が下方に向く本体（10）と、前記第１ポートの開口から前記本体を通り、その前後面の一方に開口する第１通路（21）と、前記第２ポートの開口から前記本体を通り、その前後面の双方に開口する第２通路（22）と、前記第３ポートの開口から前記本体を通り、その前後面の他方に開口する第３通路（23）と、前記第１及び第２通路（21、22）を左右に仕切る第１仕切り壁（17）と前記第２及び第３通路（22、23）を上下に仕切る第２仕切り壁（18）と、前記第１仕切り壁の端面に形成した第１弁座（19）と、前記第２仕切り壁の端面に形成した第２弁座（20）と、前記第１弁座と係合して前記第１及び第２通路間を開閉する第１ダイヤフラム（25）と、前記第２弁座と係合して前記第２及び第３通路を開閉する第２ダイヤフラム（26）とからなり、前記第１及び第２通路（21、22）の最低面を同一水平レベルとしたことを特徴とする三方ダイヤフラム弁。
【請求項２】
第３通路（23）の凹部（24）の最低面を水平又は第３ポート側に傾斜させたことを特徴とする請求項１記載の三方ダイヤフラム弁。
【発明の詳細な説明】
【０００１】
【産業上の利用分野】
本発明は２枚の独立に操作可能なダイヤフラムを備えた三方ダイヤフラム弁の改良に関するものである。
【０００２】
【従来の技術】
水平２管路と垂直１管路からなる三方路を制御する従来のダイヤフラム弁は、図５に示すように、左１１又は右ポート１２に連結ポート３０を接続し、本体１０ａの第１ダイヤフラム２５によって、左右水平に向くポート１１、１２に開口する左右通路３１、３２を本体１０ｂの第２ダイヤフラム２６によって上下垂直に向くポート３０、１３の上下通路３３、３４をそれぞれ開閉する方式であった。
【０００３】
【発明が解決しようとする課題】
従来のものは、２個の本体１０ａ、１０ｂを有するため、設置に要するスペースが大きいという問題があった。又、従来のものは垂直方向の第２ダイヤフラム２６を閉めると、連結ポート３０に必ず液体が滞留するから、内部に液体の滞留することが許されないバイオ装置等には使用することができないという問題があった。
【０００４】
本発明はこれらの問題を解決するためになされたものであり、その目的とするところは、設置に要するスペースが小さく、垂直方向の通路を閉じたときに、内部に液体が滞留するおそれのない三方ダイヤフラム弁を提供することにある。
【０００５】
【課題を解決するための手段】
前記目的を達成するため、本発明が採用する手段は、１つの本体内に左右方向の第１及び第２通路と、上下方向の第３通路を設け、第１及び第２通路を第１仕切り壁によって仕切り、その第１仕切り壁の前後の一方に第１ダイヤフラムと係合する第１弁座を形成し、第２通路とその下方の第３通路を第２仕切り壁で仕切り、その第２仕切り壁の前後の他方に第２ダイヤフラムと係合する第２弁座を形成したことにある。
【０００６】
第１及び第２本体通路の最低面を同一水平レベルに、第３通路の凹部の最低面を水平又は下方に傾斜させることが望ましい。
【０００７】
【作用】
左右方向の第１通路と第２通路は第１弁座に対して開閉する第１ダイヤフラムを介して接続し、その第２通路と下方の第３通路は第２弁座に対して開閉する第２ダイヤフラムを介して接続するから、第１ダイヤフラムを開いて第２ダイヤフラムを閉じると、液体は第１通路から第２通路へ又はその逆に流通し、第１及び第２ダイヤフラムを共に開くと、液体はいずれの通路からも他の２つの通路へ流れ、第１ダイヤフラムを閉じて第２ダイヤフラムを開くと、液体は第２通路から第３通路へ、又はその逆に流れる。第１及び第２ダイヤフラムを閉じると、流れは生じない。
【０００８】
第２ダイヤフラムを閉じたとき、内部の液体はすべて第３通路から排出されるから、内部に液体が滞留することはありえない。本体内の第１及び第２通路の最低面を同一水平レベルに、第３通路の最低面は水平に又は下方傾斜させると、内部に液体を常に完全に排出することができる。
このように、共通の本体に第１及び第２ダイヤフラムを設けたから、三方弁は全体としてコンパクトであり、設置に要するスペースは節約される。
【０００９】
【実施例】
本発明のダイヤフラム弁を図面に示す実施例に基づいて説明する。
図１及び図２に示すように、本体１０から、左右水平に第１及び第２ポート１１、１２が突出し、垂直に第３ポート１３が垂下する。本体１０の前面には第１ポート１１と第２ポート１２の間の流路を開閉する第１ダイヤフラムを内設した第１ボンネット１５が、後面には第２ポート１２と第３ポート１３の間の流路を開閉する第２ダイヤフラムを内設した第２ボンネット１６が、それぞれボルト１４により取り付けられる。このように、第１及び第２ボンネット１５、１６を共通の本体１０に取り付けるから、第１及び第２ボンネットをそれぞれ別の本体に取り付けていた従来の方式に比べると、弁設置に要するスペースは小さくなる。
【００１０】
図２及び図３、並びに図４（ａ）、（ｂ）に示すように、ステンレス鋼製の本体１０の内部には第１ポート１１から本体１０の前面に開口する水平方向の第１通路２１と、第２ポート１２の開口から本体１０の前後両面に開口する水平方向の第２通路２２と、第３ポート１３から本体１０の後面に開口する垂直な第３通路２３が設けられる。第１通路２１と第２通路２２は垂直な第１仕切り壁１７によって仕切られ、その第１仕切り壁の前端面に第１ダイヤフラム２５と係合する第１弁座１９を形成する。第２通路２２とその下側の第３通路２３は水平な第２仕切り壁１８によって仕切られ、その水平な第２仕切り壁の後端面に第２ダイヤフラム２６と係合する第２弁座２０を形成する。第１及び第２通路２１、２２の最低面は同一水平レベルである。第３通路２３の凹部２４の最低面は水平であるが、この最低面は第３ポート２３側へ下方に傾斜させてもよい。
【００１１】
第１通路２１は第１弁座１９と第１ダイヤフラム２５を介して第２通路２２と連絡し、第２通路２２は第２弁座２０と第２ダイヤフラム２６を介して第３通路２３と連絡するから、第１ダイヤフラム２５を開いたとき、第２ダイヤフラム２６を閉じると、水平方向の第１ポート１１に接続した外部管路の液体は同じ水平方向の第２ポート１２に接続して外部管路へ、又はその逆に流通する。
【００１２】
又、第１及び第２ダイヤフラム２５、２６を共に開くと、第１ポート１１、第２ポート１２、第３ポート１３のいずれか１つの管路からも他の２つのポートに接続した外部管路へ液体を流通させることができる。
又、第１ダイヤフラム２５を閉じて第２ダイヤフラム２６を開くと、水平方向の第２ポート１２に接続した外部管路から垂直方向の第３ポート１３に接続して外部管路へ、又はその逆に液体を流通させることができる。第１及び第２ダイヤフラム２５、２６を閉じると、液体の流通は停止する。
【００１３】
第１及び第２通路２１、２２の最低面は同一水平レベルであるから、内部の液体は第１及び第２ポート１１、１２に接続した外部管路へ排出するから、第１ダイヤフラム２５の開閉に関係なく、第１及び第２通路２１、２２内に液体が滞留するおそれは全くない。第３通路２３の凹部の最低面は水平であるか、又は第３ポート１３側へ下方に傾斜するから、内部の液体はすべて第３ポート１３に接続した外部管路へ流下する。したがって、第２ダイヤフラム２６の開閉には関係なく、第３通路の内部に液体が滞留することはありえない。
【００１４】
【発明の効果】
上記のとおり、本発明の三方ダイヤフラム弁は、従来の２個の本体を有し、一方の本体に設けた第１ダイヤフラムによって左右方向の通路を開閉し、他方の本体に設けた第２ダイヤフラムによって上下方向の通路を開閉する方式とは異なり、共通の本体に左右方向の第１及び第２通路と上下方向の第３通路を設け、第１及び第２通路を第１ダイヤフラムにより、第２及び第３通路を第２ダイヤフラムによりそれぞれ開閉する方式であるから、従来のものよりもコンパクトで設置に要するスペースは小さく、上下方向の第２ダイヤフラムを閉じても内部に液体が滞留するおそれがないという優れた効果を奏する。
【図面の簡単な説明】
【図１】は本発明の一実施例の三方ダイヤフラム弁の正面図、
【図２】は図１の三方ダイヤフラム弁の平面図であり、本体は第１及び第２ポートの軸心を含む断面で示す。
【図３】は図１のダイヤフラム弁の正面図であり、本体は第３ポートの軸心を含む断面で示す。
【図４】は図１の本体の前後面を示す図であり、（ａ）は前面図、（ｂ）は後面図、
【図５】は従来の三方ダイヤフラム弁のシリンダを外した状態を示す図である。
【符号の説明】
１０：本体、
１１：第１ポート、
１２：第２ポート、
１３：第３ポート、
１４：ボルト、
１５：第１ボンネット、
１６：第２ボンネット、
１７：第１仕切り壁、
１８：第２仕切り壁、
１９：第１弁座、
２０：第２弁座、
２１：第１通路、
２２：第２通路、
２３：第３通路、
２４：凹部、
２５：第１ダイヤフラム、
２６：第２ダイヤフラム
【図１】
0003608248.tif 000002
【図２】
0003608248.tif 000003
【図３】
0003608248.tif 000004
【図４】
0003608248.tif 000005
【図５】
0003608248.tif 000006